【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
複数の場所の実況映像をそれぞれ取得するための実況映像取得手段と、
前記各実況映像取得手段が映像を取得する対象としている各場所の位置を示す又は前記各実況映像取得手段が配置されている各位置を示す位置座標データ（以下、「対象位置等座標データ」という）を、記録しておくための対象位置等座標データ記録手段と、
移動体であるユーザーの現在位置からユーザーの希望場所へ向かう経路を示す位置座標データの情報を、取得するための経路情報取得手段と、
前記経路情報取得手段により取得された経路を示す位置座標データと、前記対象位置等座標データ記録手段に記録された対象位置等座標データとを、互いに比較もしくはマッチング処理するための座標データ比較マッチング手段と、
前記座標データ比較マッチング手段からの比較もしくはマッチング処理の結果に基づいて、前記各実況映像取得手段により取得される複数の場所の実況映像の中から、前記の現在位置から希望場所ヘ向う経路の途中に存在する一つ又は複数の場所の実況映像を、ユーザー側に略リアルタイムに提供する実況映像として、略リアルタイムに選択もしくは特定するための実況映像選択特定手段と、
前記実況映像選択特定手段により選択もしくは特定された一つ又は複数の場所の実況映像を又はこれに基づく映像情報を、オンラインで略リアルタイムに、ユーザー側に向けて送信するための実況映像送信手段と、
を備えたことを特徴とする略リアルタイム実況映像提供装置。
【請求項２】
移動体であるユーザーの現在位置座標データもしくは現在位置を特定するための情報を、取得するための現在位置等取得手段と、
前記現在位置等取得手段により取得される現在位置座標データもしくは現在位置を特定するための情報又はこれに基づいて得られる前記現在位置からユーザーの希望場所へ向かう経路を示す位置座標データの情報を、センター側に送信するための現在位置等送信手段と、
「ユーザーの現在位置からユーザーの希望場所へ向かう経路を示す位置座標データと、前記対象位置等座標データ記録手段に記録された対象位置等座標データとの、相互の比較もしくはマッチング処理の結果」に基づいて、複数の場所に配置されている各実況映像取得手段によりそれぞれ取得される複数の場所の実況映像の中から、「前記ユーザーの現在位置からユーザーの希望場所ヘ向う経路の途中に存在する一つ又は複数の場所の実況映像」として、センター側において略リアルタイムに選択もしくは特定された一つ又は複数の場所の実況映像を又はこれに基づく映像情報を、オンラインで略リアルタイムに、受信するための実況映像受信手段と、
前記実況映像受信手段により受信した実況映像又はこれに基づく映像情報を略リアルタイムに表示するための実況映像等表示手段と、
を備えたことを特徴とする略リアルタイム実況映像提供装置。
【請求項３】
複数の場所の実況映像をそれぞれ取得するための実況映像取得手段と、
前記各実況映像取得手段が映像を取得する対象としている各場所の位置を示す又は前記各実況映像取得手段がそれぞれ配置されている各位置を示す位置座標データ（以下、「対象位置等座標データ」という）を、記録しておくための対象位置等座標データ記録手段と、
移動体であるユーザーの現在位置からユーザーの希望場所へ向かう経路を示す位置座標データの情報を、取得するための経路情報取得手段と、
「ユーザーが希望する、場所その他の情報」に関する文字列などのキー・データを、取得するためのキー・データ取得手段と、
前記キー・データと各場所に関する情報とを互いに対応付けて記録しておくためのキー・データ等記録手段と、
前記キー・データ等記録手段に記録された情報に基づいて、前記経路情報取得手段により取得された経路を示す位置座標データと、前記対象位置等座標データ記録手段に記録されている対象位置等座標データと、前記キー・データ取得手段により取得されたキー・データとを、互いに比較もしくはマッチング処理するための比較マッチング手段と、
前記比較マッチング手段からの出力に基づいて、前記各実況映像取得手段により取得される複数の場所の実況映像の中から、前記の現在位置から希望場所ヘ向う経路の途中に存在し且つ前記キー・データに適合する一つ又は複数の場所の実況映像を、ユーザー側に略リアルタイムに提供する実況映像として、略リアルタイムに選択もしくは特定するための実況映像選択特定手段と、
前記実況映像選択特定手段により選択もしくは特定された一つ又は複数の場所の実況映像を又はこれに基づく映像情報を、オンラインで略リアルタイムに、ユーザー側に向けて送信するための実況映像送信手段と、
を備えたことを特徴とする略リアルタイム実況映像提供装置。
【請求項４】
移動体であるユーザーの現在位置座標データもしくは現在位置を特定するための情報を、取得するための現在位置等取得手段と、
前記現在位置等取得手段により取得される現在位置座標データもしくは現在位置を特定するための情報又はこれに基づいて得られる前記現在位置からユーザーの希望場所へ向かう経路を示す位置座標データの情報を、センター側に送信するための現在位置等送信手段と、
「ユーザーが希望する、場所その他の情報」に関する文字列などのキー・データを、センター側に送信するためのキー・データ送信手段と、
前記キー・データと各場所に関する情報とを互いに対応付けて記録しておくためのキー・データ等記録手段と、
「センター側において、前記キー・データと各場所に関する情報とを互いに対応付けて記録しておくためのキー・データ等記録手段に記録された情報に基づいて行われる、前記経路情報取得手段により取得された経路を示す位置座標データと、前記対象位置等座標データ記録手段に記録されている対象位置等座標データと、前記キー・データ取得手段により取得されたキー・データとの、相互の比較もしくはマッチング処理」の結果に基づいて、前記各実況映像取得手段により取得される複数の場所の実況映像の中から、前記の現在位置から希望場所ヘ向う経路の途中に存在し且つ前記キー・データに適合する一つ又は複数の場所の実況映像を、ユーザー側に略リアルタイムに提供する実況映像として、センター側において略リアルタイムに選択もしくは特定された一つ又は複数の場所の実況映像を又はこれに基づく映像情報を、オンラインで略リアルタイムに、受信するための実況映像受信手段と、
前記実況映像受信手段により受信した実況映像又はこれに基づく映像情報を略リアルタイムに表示するための実況映像等表示手段と、
を備えたことを特徴とする略リアルタイム実況映像提供装置。
【請求項５】
複数の場所の実況映像をそれぞれ取得するための実況映像取得手段と、
前記各実況映像取得手段が映像を取得する対象としている各場所の位置を示す又は前記各実況映像取得手段がそれぞれ配置されている各位置を示す位置座標データ（以下、「対象位置等座標データ」という）を、記録しておくための対象位置等座標データ記録手段と、
移動体であるユーザーの現在位置座標データもしくは現在位置を特定するための情報を、取得するための現在位置等取得手段と、
移動体であるユーザーの現在位置からユーザーの希望場所へ向かう経路を示す位置座標データの情報を、取得するための経路情報取得手段と、
前記の現在位置から希望場所へ向かう経路を示す位置座標データ、前記対象位置等座標データ、及び、前記現在位置座標データを、互いに比較もしくはマッチング処理するための座標データ比較マッチング手段と、
前記座標データ比較マッチング手段による比較もしくはマッチング処理の結果に基づいて、前記各実況映像取得手段により取得される複数の場所の実況映像の中から、前記ユーザーの現在位置からユーザーの希望場所ヘ向う経路の途中に存在し且つユーザーの現在位置の近傍に存在する、一つ又は複数の場所の実況映像を、ユーザー側に略リアルタイムに提供する実況映像として、略リアルタイムに選択もしくは特定するための実況映像選択特定手段と、
前記実況映像選択特定手段により選択もしくは特定された一つ又は複数の場所の実況映像を又はこれに基づく映像情報を、オンラインで略リアルタイムに、ユーザー側に向けて送信するための実況映像送信手段と、
を備えたことを特徴とする略リアルタイム実況映像提供装置。
【請求項６】
移動体であるユーザーの現在位置座標データもしくはその現在位置を特定するための情報を、取得するための現在位置等取得手段と、
少なくとも前記現在位置等取得手段により取得される現在位置座標データもしくはその現在位置を特定するための情報を、センター側に送信するための現在位置等送信手段と、
「センター側において、前記現在位置座標データ、前記ユーザーの現在位置からユーザーの希望場所へ向かう経路を示す位置座標データ（前記現在位置座標データ及び希望場所データから取得し得るもの）、及び、複数の場所にそれぞれ配置された各実況映像取得手段が映像を取得する対象としている各場所の位置を示す又は前記各実況映像取得手段が配置された各位置を示す対象位置等座標データを、相互に比較もしくはマッチング処理した結果」に基づいて、前記各実況映像取得手段により取得される複数の場所の実況映像の中から、「前記現在位置から希望場所ヘ向う経路の途中に存在し且つユーザーの現在位置の近傍に存在する、一つ又は複数の場所の実況映像」として、センター側により略リアルタイムに選択もしくは特定された一つ又は複数の場所の実況映像を又はこれに基づく映像情報を、オンラインで略リアルタイムに、受信するための実況映像受信手段と、
前記実況映像受信手段により受信した実況映像又はこれに基づく映像情報を略リアルタイムに表示するための実況映像等表示手段と、
を備えたことを特徴とする略リアルタイム実況映像提供装置。
【請求項７】
移動体であるユーザーの現在位置座標データもしくは現在位置を特定するための情報を、取得するための現在位置等取得手段と、
前記現在位置等取得手段により取得される現在位置座標データもしくは現在位置を特定するための情報又はこれに基づいて得られる前記現在位置からユーザーの希望場所へ向かう経路を示す位置座標データの情報を、センター側に送信するための現在位置等送信手段と、
前記ユーザーの現在位置からユーザーの希望場所へ向かう経路を示す位置座標データ、及び、複数の場所にそれぞれ配置された各実況映像取得手段が映像を取得する対象としている各場所の位置を示す又は前記各実況映像取得手段が配置された各位置を示す対象位置等座標データに基づいて、前記各実況映像取得手段により取得される複数の場所の実況映像の中から、「前記ユーザーの現在位置からユーザーの希望場所ヘ向う経路の途中に存在する一つ又は複数の場所の実況映像」として、センター側により略リアルタイムに選択もしくは特定された一つ又は複数の場所の実況映像を又はこれに基づく映像情報を、オンラインで略リアルタイムに、受信するための実況映像受信手段と、
前記実況映像受信手段により受信した実況映像又はこれに基づく映像情報を、略リアルタイムに表示するための実況映像等表示手段と、
を備えたことを特徴とする略リアルタイム実況映像提供装置。
【請求項８】
移動体であるユーザーの現在位置座標データもしくは現在位置を特定するための情報を、取得するための現在位置等取得手段と、
前記現在位置等取得手段により取得される現在位置座標データもしくは現在位置を特定するための情報又はこれに基づいて得られる前記現在位置からユーザーの希望場所へ向かう経路を示す位置座標データの情報を、センター側に送信するための現在位置等送信手段と、
「ユーザーが希望する、場所その他の情報」に関する文字列などのキー・データを、センター側に送信するためのキー・データ送信手段と、
と、
「センター側での、前記キー・データと各場所に関する情報とを互いに対応付けて記録しておくためのキー・データ等記録手段に記録された情報に基づいて、前記ユーザーの現在位置からユーザーの希望場所へ向かう経路を示す位置座標データ、前記キー・データ、及び、複数の場所にそれぞれ配置された各実況映像取得手段が映像を取得する対象としている各場所の位置を示す又は前記各実況映像取得手段が配置された各位置を示す対象位置等座標データを、相互に比較もしくはマッチング処理した結果」に基づいて、前記各実況映像取得手段により取得される複数の場所の実況映像の中から、「前記ユーザーの現在位置からユーザーの希望場所ヘ向う経路の途中に存在し且つ前記キー・データに適合する、一つ又は複数の場所の実況映像」として、センター側により略リアルタイムに選択もしくは特定された一つ又は複数の場所の実況映像を又はこれに基づく映像情報を、オンラインで略リアルタイムに、受信するための実況映像受信手段と、
前記実況映像受信手段により受信した実況映像又はこれに基づく映像情報を略リアルタイムに表示するための実況映像等表示手段と、
を備えたことを特徴とする略リアルタイム実況映像提供装置。
【請求項９】
移動体であるユーザーの現在位置座標データもしくはその現在位置を特定するための情報を、取得するための現在位置等取得手段と、
少なくとも前記現在位置等取得手段により取得される現在位置座標データもしくはその現在位置を特定するための情報を、センター側に送信するための現在位置等送信手段と、
前記ユーザーの現在位置座標データ、前記ユーザーの現在位置からユーザーの希望場所へ向かう経路を示す位置座標データ（前記現在位置座標データから取得し得るもの）、及び、複数の場所にそれぞれ配置された各実況映像取得手段が映像を取得する対象としている各場所の位置を示す又は前記各実況映像取得手段が配置された各位置を示す対象位置等座標データに基づいて、前記各実況映像取得手段により取得される複数の場所の実況映像の中から、「前記現在位置から希望場所ヘ向う経路の途中に存在し、且つユーザーの現在位置の近傍に存在する、一つ又は複数の場所の実況映像」として、センター側により略リアルタイムに選択もしくは特定された一つ又は複数の場所の実況映像を又はこれに基づく映像情報を、オンラインで略リアルタイムに、受信するための実況映像受信手段と、
前記実況映像受信手段により受信した実況映像又はこれに基づく映像情報を略リアルタイムに表示するための実況映像等表示手段と、
を備えたことを特徴とする略リアルタイム実況映像提供装置。
【請求項１０】
ユーザーの現在位置からユーザーが希望する希望場所へ向かう経路を示す位置座標データの情報を、取得するための経路情報取得手段と、
前記ユーザーの現在位置からユーザーの希望場所へ向かう経路を示す位置座標データと、複数の場所にそれぞれ配置された各実況映像取得手段が映像を取得する対象としている各場所の位置を示す又は前記各実況映像取得手段が配置された各位置を示す対象位置等座標データとの相互の「比較もしくはマッチング処理」の結果に基づいて、前記各実況映像取得手段により取得される複数の場所の実況映像の中から、「前記ユーザーの現在位置からユーザーの希望場所ヘ向う経路の途中に存在する一つ又は複数の場所の実況映像」を、略リアルタイムに選択もしくは特定するための実況映像選択特定手段と、
前記実況映像選択特定手段により選択もしくは特定された実況映像を又はこれに基づく映像情報を、略リアルタイムに、ユーザー側に送信するための実況映像等送信手段と、
を備えたことを特徴とする略リアルタイム実況映像提供装置。